(57)【要約】【課題】方立や無目内部に侵入した雨水を外部に排出する構造の加工を簡素化することができ、外部意匠をすっきりとしたものにすることが容易な外壁を提供する。【解決手段】左右方向に間隔をおいて立設された複数の縦材１２ａ〜１２ｈと、該縦材と直交する方向に架け渡された複数の横材１３ａ〜１３ｊと、これら縦材及び横材により構成される枠に取り付けられたパネルＰ１〜Ｐ８とを備えた外壁１０において、前記縦材及び横材の内部に侵入した雨水を、最下部に設けられた横材１３ｉ、１３ｊより排出し、それより上方に位置する縦材及び横材の内部に侵入した雨水は、前記縦材内部を通じて前記最下部の横材内部に流下するように構成する。【選択図】      図１
2004278189.tif 000002
【特許請求の範囲】
【請求項１】
左右方向に間隔をおいて立設された複数の縦材と、該縦材と直交する方向に架け渡された複数の横材と、これら縦材及び横材により構成される枠に取り付けられたパネルとを備えた外壁であって、
前記縦材及び横材の内部に侵入した雨水を、最下部に設けられた横材より排出し、それより上方に位置する縦材及び横材の内部に侵入した雨水は、前記縦材内部を通じて前記最下部の横材内部に流下するように構成された外壁。
【発明の詳細な説明】
【０００１】
【発明の属する技術分野】
本発明は、カーテンウオール等の建物の外壁に関する。
【０００２】
【従来の技術】
家庭電化製品の量販店などの建物は、店舗のイメージを高めるため建物正面部分にガラスパネルを多用したカーテンウオール構造を配したものが多い。カーテンウオールとしては左右に隣接する方立間に無目を連結し、左右に隣接する方立と上下に隣接する無目間にパネルを装着したものが知られている。
【０００３】
雨天となり、雨が横殴りに降り注ぐような状況になると、雨水は前記カーテンウオールのガラスパネルや、方立などに沿って、地表の基礎部分まで流下される。しかし、方立、及び無目により構成される枠とパネルとの間のシールや方立の継ぎ目の密封が不完全であると、雨水がシール部分や方立の継ぎ目から、無目や方立の内部に侵入する。
【０００４】
特許文献１には、最上部無目の上部に沿って流れる雨水等を中間部無目より排水するために、方立の無目取り付け面に最上部無目、中間部無目を連結し、その最上部無目の上部中空部を方立の凹溝に連続させ、中間部無目の上部凹溝を凹溝に連続させ、方立の凹溝に排水ブロックを取付けることにより、最上部無目の上部に沿って流れる雨水等を水抜穴で上部中空部に流し込み、その雨水等が凹溝、排水ブロックを経て上部凹溝に流れるようにし、その上部凹溝の排水口より室外側面に排水する構造が開示されている。
【０００５】
また、図７に示すように、パネルごとに、下枠を構成する無目７１に、室外側から室内側に向けたスリット状の水平な溝７２を形成し、この溝を構成する上面側の板７３に水止め及び水抜き穴７４を設け、この水抜き穴７４から前記溝７２の内面に沿って流下させることにより、枠内に侵入した雨水７５を外部に排出させる構造が公知である。
【特許文献１】
特開平９−６０１７０号公報
【０００６】
【発明が解決しようとする課題】
しかし、特許文献１には、最上部無目に関する排水構造が開示されているものの、それから下方にある無目や方立内部に侵入した雨水をどのようにするかという問題についてはなんら開示されていない。
【０００７】
また、図７に示されている公知の構造については、パネル毎に排水孔及び水止めを加工することが必要であり、手間がかかるという問題があった。また、水抜き穴から排出される水を外部に導くための、スリット状の溝は、外壁に陰影を生じるため、外観意匠上の制限となっている。またスリット状の溝を流下する雨水によって、外壁部に水垢やしみなどが生じ、外観上不快感を生じることもある。
【０００８】
そこで、本発明は、方立や無目内部に侵入した雨水を外部に排出する構造の加工を簡素化することができ、外部意匠をすっきりとしたものにすることが容易な外壁を提供することを課題とする。
【０００９】
【課題を解決するための手段】
以下、本発明について説明する。なお、本発明の理解を容易にするために添付図面の参照符号を括弧書きにて付記するが、それにより本発明が図示の形態に限定されるものではない。
【００１０】
請求項１の発明は、左右方向に間隔をおいて立設された複数の縦材（１２ａ〜１２ｈ）と、該縦材と直交する方向に架け渡された複数の横材（１３ａ〜１３ｊ）と、これら縦材及び横材により構成される枠に取り付けられたパネル（Ｐ１〜Ｐ８）とを備えた外壁（１０）であって、前記縦材及び横材の内部に侵入した雨水を、最下部に設けられた横材（１３ｉ、１３ｊ、３０）より排出し、それより上方に位置する縦材及び横材の内部に侵入した雨水は、前記縦材内部を通じて前記最下部の横材内部に流下するように構成された外壁により前記課題を解決する。
【００１１】
この発明によれば、最下部以外の横材内部に侵入した雨水は、その部分の横材が架け渡された左右のいずれかの方立に流れ込み、方立内部を流下される。一方、方立に直接侵入した雨水はその方立内部を下方に向かって流下される。そして、方立て内部を最下部にある横材の高さまで流下して、最下部横材内に流れ込み、最下部横材に設けられた排出孔より外部に排出される。
【００１２】
したがって、パネル毎に排出孔を設ける必要がないので、加工の手間を省略することが可能である。また、排出する雨水を外部へと導く溝を設ける必要がないので、意匠上の制限をなくすとともに、正面方向の外観をすっきりとしたものにすることができる。
【００１３】
本発明のこのような作用及び利得は、次に説明する実施の形態から明らかにされる。
【００１４】
【発明の実施の形態】
以下本発明を図面に示す実施形態に基づき説明する。
【００１５】
図１は、本発明の外壁１０を備えた建物１の正面図である。かかる建物１は、家電量販店等の店舗に多く採用されている。一階部分に出入口１１が設けられ、通常２〜３階建ての構造とされている。正面部分の外壁１０は通常カーテンウオールと呼ばれるもので、左右方向に間隔をおいて立設された複数の縦材１２ａ〜１２ｈと、該縦材と直交する方向に縦材間に架け渡された複数の横材１３ａ〜１３ｉとが縦横に配置されている。なお、図では横材１３ａ〜１３ｉは横方向に連続しているように見えるが、各縦材１２ａ〜１２ｈにより分断されており、各横材それぞれが多数の部材の集合として構成されている。これに対して縦材１２ａ〜１２ｈは上下方向に１本ずつ貫かれている。これら縦材１２ａ〜１２ｈ及び横材１３ａ〜１３ｉにより構成される枠にシール部材を介して多数のパネル（図１においては後の説明に必要な鎖線で囲まれたＡ部及びＢ部のパネルのみ参照符号Ｐ１〜８を付してある。）が取り付けられて、建物１の正面の外観たる外壁１０（カーテンウオール）を構成している。通常パネルとして、ハーフミラーにされたガラスパネルが使用されている。
【００１６】
本発明の特徴的部分は、建物の外壁において、
（１）上部構造として、最下部横材より上方に位置する縦材及び横材の内部に、方立の継ぎ目やシール部材の隙間から侵入した雨水は、縦材内部を通じて最下部の横材内部に流下するように構成し、
（２）下部構造として、上部構造の内部に侵入し、縦材部を流下して来た雨水を、最下部に設けられた横材で受けて、該横材に設けた孔より外部に排出する構造にある。
【００１７】
以下、（１）の上部構造について図２により、（２）の下部構造について図３〜６を参照しつつ説明することとする。
【００１８】
（１）上部構造
図２（Ａ）は、図１において参照符号Ａで示した部分を破断して示す斜視図である。また、図２（Ｂ）は、従来の構造と本発明の構造を比較するために、従来公知であった外壁の構造を図２（Ａ）の各部材と同様に配置して示す図である。図２（Ａ）及び（Ｂ）においては、図の左上方向が室内側、右下方向が室外側を示している。
【００１９】
図２（Ａ）において、略垂直方向に立設された方立１２ｃと、方立１２ｃに直交して配置された無目（横材）１３ｄとに仕切られるように、４枚のガラスパネルＰ１、Ｐ２、Ｐ３、及びＰ４が、配置されている。各ガラスパネルＰ１〜Ｐ４と、方立１２ｃ、無目１３ｄとの間はビードまたはシール１４、１４、…によりシールまたはビードで固定されている。室外側において、雨水が外壁１０に吹きつけるような場合であっても、ビード１４によるシールが完全であると、外壁１０に吹きつけられた雨水は、ガラスパネルＰ１〜Ｐ４や、方立１２ｃ、無目１３ｄの室外側面に沿って下方へと流れ落ちる。
【００２０】
しかし、左右の２分割材からなる方立１２ｃの継ぎ目のシールが不完全な場合、ビード１４によるシール効果が不完全な場合、あるいはビード１４自体が劣化や切断などしてシール材として完全に機能していない場合、方立１２ｃ、無目１３ｄのガラス溝の内部に雨水が侵入することがある。図２（Ａ）はこのような場合の方立１２ｃ、無目１３ｄのガラス溝の内部に侵入した雨水の流れ方向を概略的に示している。
【００２１】
本発明においては、最下部横材より上方に位置する横材である無目１３ｄのガラス溝の内部に進入した雨水Ｗ１は、横材１３ｄ内部に設けられた水平水路１５により、方立１２ｃの内部室外側に設けられた縦樋１６に流入する。すなわち水平水路１５と縦樋１６との間には、水平水路１５にある雨水Ｗ１が縦樋１６内に流入可能なように流路が形成されている。縦樋１６は、垂直な方立１２ｃの内部にあるので縦樋１６の内部に流入した雨水Ｗ１は、縦樋１６の内部を急速に下方に流れ落ち、最下部の横材に達する。これ以降の雨水の行方については下記「下部構造」の項において説明する。
【００２２】
一方、方立１２ｃの継ぎ目や、方立１２ｃ部のシールから侵入した雨水Ｗ２は、その侵入個所が縦樋１６となるように縦樋１６が配置されているので、そのまま縦樋１６の内部を無目１３ｄのガラス溝から侵入した雨水Ｗ１と合流して、雨水Ｗ１２（図３参照）となって急速に下方に流れ落ち、最下部の横材に流れ込む。これ以降の雨水の行方についても、下記「（２）下部構造」の項において説明する。
【００２３】
図２（Ｂ）は、従来の構造の外壁１１０を、本発明の外壁１０と対比するために各部材を外壁１０と同様に配置して示すものである。外壁１１０は、略垂直方向に立設された方立１１２ｃと、方立１１２ｃに直交して配置された無目（横材）１１３ｄとに仕切られるように、４枚のガラスパネルＰ１１〜Ｐ１４が、配置されている。各ガラスパネルＰ１１〜Ｐ１４と、方立１１２ｃ、無目１１３ｄとの間はビード１１４、１１４、…によりシールされている。室外側において、雨水が外壁１１０に吹きつけるような場合であっても、ビード１１４によるシールが完全であると、外壁１１０に吹きつけられた雨水は、ガラスパネルＰ１１〜Ｐ１４や、方立１１２ｃ、無目１１３ｄの室外側面に沿って下方へと流れ落ちる。
【００２４】
しかし、方立１１２ｃの継ぎ目が不完全な場合、ビード１１４によるシール効果が不完全な場合、あるいはビード１１４自体が劣化や切断などしてシール材として完全に機能していない場合、方立１１２ｃ、無目１１３ｄの内部に雨水が侵入する。図２（Ｂ）は、従来の外壁１１０において、このような場合の方立１１２ｃ、無目１１３ｄの内部に侵入した雨水の流れ方向を示している。
【００２５】
従来の構造では、無目１１３ｄ内部には侵入した雨水Ｗ３を受ける水平溝１１５が設けられている。方立１１２ｃの内部に侵入した雨水Ｗ４は、無目１１３ｄ内の水平溝１１５に流入するように構成されている。一方、無目１１３ｄの室外側には、水平方向のスリット状の溝部１１１が形成されている。さらに、溝部１１１の上部板材には孔１１２が設けられている。この上部板材は上記水平溝１１５の最低位にある底板を構成している。したがって、方立１１２ｃの内部に侵入した雨水Ｗ４、及び無目１１３ｄの内部に侵入した雨水Ｗ３は全てこの孔１１２を介して外部に排出される。孔１１２から排出された雨水は水平なスリット状の溝部１１１の面に沿って下方へと流下し、無目１１３ｄの前面下端部から地表へと落下してゆく。あるいは無目１１３ｄの下方のガラスパネルＰ１３の室外側面に沿ってさらに下方へと流下して行く。したがって、従来の外壁１１０をと比較した場合、本発明の外壁１０は、
（１）方立や無目内部に侵入した雨水を、各パネルの孔から排出する必要がない。換言すれば、パネル毎に孔を設ける必要がなく加工の手間が省ける。
（２）無目にスリット状の溝部を設ける必要がない。したがって意匠上の制約が少なく、すっきりとした外観を有する外壁をデザインすることが可能となる。
（３）孔から流れ落ちる雨水により無目やガラスパネルにシミ、水垢が生じる虞がない。従来構造では、孔はパネル毎に設けられていたので、視線の集中する部分にも上記シミや水垢が発生して、外壁の見栄えを悪くするという虞があった。
【００２６】
（２）下部構造
＜１：ボーダー＞
本発明において上部構造の部分から方立、無目内に侵入した雨水は方立内部室外側に設けられた縦樋１６により下方へと流下され、最下部の横材内部に流入され、該横材に設けられた孔より排出される。本項においては図１における参照符号Ｂで示される部分の破断構造を拡大して示す図３、および図３をさらに拡大して示す図４を参照しつつ本発明の下部構造における水抜きについて説明する。
【００２７】
図３においては、方立１２ｂと、該方立１２ｂに直交方向に組み付けられた無目１３ｈ及び無目１３ｈとは平行に前記方立１２ｂに取り付けられた下部横材１３ｉと、これら方立１２ｂ、無目１３ｈ、及び横材１３ｉを枠として、ビードを介して取り付けられた４枚のガラスパネルＰ５〜Ｐ８が表されている。下部横材１３ｉは、外壁１０の方立１２ａ〜１２ｃの間の巾における最も下方の横材であり、その下面側には、ボーダー３０が取り付けられている。
【００２８】
また、図４は、視点を室外側下方（図３において矢印Ｅが視線を示す。）に移して方立１２ｂと下部横材１３ｉとの交点を拡大して示す斜視図である。なお、内部構造を説明する便宜のために、図４において、ボーダー３０は、下部横材１３ｉの下面から取りはずされて、横材１３ｉの下方に離隔されて示されている。図４からも明らかなように、横材１３ｉは方立１２ｂにより左右に分断されているのに対し、ボーダー３０は、横材１３ｉの全長にわたり１部材として形成されている。したがって、方立、１２ｂの下端部開口１２に、ボーダー３０の上面が対向する構成となっている。
【００２９】
ボーダー３０は、図４に示されるように、室外側立面３１と、室外側立面３１の下端から短い長さで室内側に延設された水平面３２と、水平面３２の室内側先端からやや上方に傾いて室内側に延在する傾斜面３３とを備えている。また水平面３２と傾斜面３３とが接する線状の部分の下面には横材と平行な方向に突条３４が設けられている。さらに水平面３２には、貫通孔３５が設けられている。
【００３０】
図３に戻り説明を続ける。上記したように上部構造において方立や無目の内部に侵入した雨水Ｗ１２は方立内部の縦樋１６に集められて下方に流下されてくる。図３における左上部に楕円系で示される図は、図３において参照符号Ｄで示されている部分の拡大図である。拡大図におけるＸ−Ｘ線は第一次止水ラインであり、通常の状態でシールの機能が完全な場合にはこのラインより室内側には雨水は侵入しない。シール部材が不完全であって、第一次止水ラインを超えて無目あるいは方立内部に侵入した雨水Ｗ１２は方立１２ｂの内部に設けられた縦樋１６により下方に流下される。
【００３１】
縦樋１６はＤ部拡大図から明らかなように左右方向に左室１６ａ、中央室１６ｂ、及び右室１６ｃに分割されている。図３に示される例においては、ガラスパネルＰ５、Ｐ７の部分から侵入した雨水Ｗ１は、左室１６ａに流入し、下方へと流下する雨水Ｗ１２となる。ガラスパネルＰ６、Ｐ８の部分から侵入した雨水Ｗ１は、右室１６ｃに流入し、下方へと流下する雨水Ｗ１２となる。また、方立１２ｂ（左右２部材に分割されたものを組み立てている。）の継ぎ目から侵入した雨水は中央室１６ｂに流入し、下方へと流下する雨水Ｗ１２となる。
【００３２】
Ｄ部拡大図におけるＹ−Ｙ線は第二次止水ラインであり、基本的にこれより室内側に雨水が侵入することがないラインである。万が一これを超えて雨水が侵入した場合、あるいは方立１２ｂの内面に結露があるような場合、これらの水分Ｗ５は、方立本体内部を流下してゆく。
【００３３】
図４に示されるように、方立１２ｂの下部は水平に開口されている。上記雨水Ｗ５、Ｗ１２は方立１２ｂの下部開口１２から、ボーダー３０上に流れ落ちる。ボーダー３０は、室外側が低くなるように傾斜面３３が設けられているので、方立１２ｂの下部開口から流れ落ちてきた雨水Ｗ５、Ｗ１２は、いずれもボーダー３０の水平面３２に集まる。水平面３２には貫通孔３５が設けられているので、ボーダー内に集められた雨水はこの貫通孔３５を通じて外部へと排出される。しかもボーダー３０の下面には突条３４が下向に形成されているので、貫通孔３５より排出された雨水は、ボーダー下面を伝って室内側に流れ寄ることがなく、そのまま下方に落下する。
【００３４】
＜２：巾木＞
本項においては、図１における参照符号Ｃで示される部分の破断構造を拡大して示す図５、及びその一部をさらに詳しく示す図６を参照しつつ本発明の下部構造における他の一例としての水抜きについて説明する。なお図５、及び図６は室内側斜め上方の視点からの斜視図として示されている。
【００３５】
図５は、上記したように図１の参照符号Ｃで示される部分を拡大して示す斜視図であり、方立１２ｄの両側部に巾木１３ｊ、１３ｋが取り付けられている状態が示されている。また図６は、これら方立１２ｄ、巾木１３ｋの内部のより良い理解を得るために、方立１２ｄの下部と巾木１３ｊとが取り除かれて示されている。図５に示されているように、巾木１３ｊ、１３ｋの室外側上部には通水溝５０が設けられ、通水溝を形成する３つの面のうち、室外側に向けられた面には孔５０ａ、５０ｂが設けられている。方立１２ｄの内部に設けられている縦樋１６（１６ａ〜１６ｃ）の下面は開放されており、通水溝５０に通じている。したがって、縦樋１６を流下してきた雨水Ｗ１２は、通水溝５０に流れ落ちる。
【００３６】
一方、方立１２ｄ本体の下面も開放されており、その下方には受け皿６１、６２が設けられている。さらに受け皿６１、６２からは通水溝５０に通じる水路６３、６４が設けられている。したがって、方立１２ｄ内部にて結露として発生した水分、及び第二次止水ラインを超えて侵入してきた雨水Ｗ５は、受け皿６１、および６２、並びに水路６３、及び６４を介して、通水溝５０に流入される。
【００３７】
かくして通水溝５０に流入された雨水等Ｗ１２、Ｗ５は、孔５０ａ、５０ｂから外部へと排出される。
【００３８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う外壁もまた本発明の技術的範囲に包含されるものとして理解されなければならない。
【００３９】
【発明の効果】
以上に説明したように、請求項１の発明によれば、最下部以外の横材内部に侵入した雨水は、その部分の横材が架け渡された左右のいずれかの方立に流れ込み、方立内部を流下される。一方、方立に直接侵入した雨水はその方立内部を下方に向かって流下される。そして、方立て内部を最下部にある横材の高さまで流下して、最下部横材内に流れ込み、最下部横材に設けられた排出孔より外部に排出される。
【００４０】
したがって、パネル毎に排出孔を設ける必要がないので、加工の手間を省略することが可能である。また、排出する雨水を外部へと導く溝を設ける必要がないので、意匠上の制限をなくすとともに、正面方向の外観をすっきりとしたものにすることができる。
【図面の簡単な説明】
【図１】本発明の外壁を備えた建物の正面図である。
【図２】（Ａ）は、図１において参照符号Ａで示した部分を破断して示す斜視図、（Ｂ）は、従来の構造と本発明の構造を比較するために、従来公知であった外壁の構造を（Ａ）の各部材と同様に配置して示す図である。
【図３】図１における参照符号Ｂで示される部分を破断して示す拡大図である。
【図４】図３をさらに拡大して示す図である。
【図５】図１における参照符号Ｃで示される部分の破断構造を拡大して示す図である。
【図６】図５の一部をさらに詳しく示す図である。
【図７】従来の外壁の水抜き構造を可概念的に示す図である。
【符号の説明】
Ｐ１〜Ｐ８  ガラスパネル（パネル）
１  建物
１０  外壁（カーテンウオール）
１２ａ〜１２ｈ  方立（縦材）
１３ａ〜１３ｈ  無目（横材）
１３ｉ  下部横材（横材）
１３ｊ  巾木（最下部横材）
１４  ビード（シール部材）
３０  ボーダー（最下部横材）
【図１】
2004278189.tif 000003
【図２】
2004278189.tif 000004
【図３】
2004278189.tif 000005
【図４】
2004278189.tif 000006
【図５】
2004278189.tif 000007
【図６】
2004278189.tif 000008
【図７】
2004278189.tif 000009